(57)【要約】【課題】調理対象物の即席調理が可能な調理装置を使用するユーザーに調理方法を提供することのできる行動ターゲティング広告が可能な調理装置を備える調理システムを提供する。【解決手段】調理対象物の即席調理が可能であり、広告が表示される表示部を有する調理装置と、前記調理装置を使用するユーザーと関連する広告を格納して前記調理装置に提供するサーバーと、前記ユーザーの情報を前記調理装置及び前記サーバーのうちのいずれか一方に提供する外部機器と、を備える【選択図】図１
2018194812.tif 000002
【特許請求の範囲】
【請求項１】
調理対象物の即席調理が可能であり、広告が表示される表示部を有する調理装置と、
前記調理装置を使用するユーザーと関連する広告を格納して前記調理装置に提供するサーバーと、
前記ユーザーの情報を前記調理装置及び前記サーバーのうちのいずれか一方に提供する外部機器と、
を備えることを特徴とする行動ターゲティング広告が可能な調理装置を備える調理システム。
【請求項２】
前記調理装置は、
内部に空間が形成され、外部の一方の側に前記調理対象物が入れられる調理容器が置かれるハウジングと、
前記調理容器を加熱する少なくとも一つの加熱手段と、
前記調理容器に温水を供給する温水供給手段と、
前記加熱手段及び前記温水供給手段の動作を制御する制御手段と、
近距離通信技術を用いて前記外部機器のユーザー情報を受信する端末認識部と、
を備えることを特徴とする請求項１に記載の行動ターゲティング広告が可能な調理装置を備える調理システム。
【請求項３】
前記ハウジングは、
前記加熱手段が内部に配設される支持部と、
前記表示部が一方の側に位置し、前記温水供給手段が内部に配設される胴体部と、
を備えることを特徴とする請求項２に記載の行動ターゲティング広告が可能な調理装置を備える調理システム。
【請求項４】
前記胴体部は、
前面の上部が上方に進むにつれて後方に後退する傾斜面として形成され、
前記表示部は、前記傾斜面に形成されることを特徴とする請求項３に記載の行動ターゲティング広告が可能な調理装置を備える調理システム。
【請求項５】
前記胴体部は、
前記表示部よりも下部に位置する一方の側に送風口が形成され、
前記胴体部の内部に配備されて前記送風口に空気を送風する送風手段を備えることを特徴とする請求項４に記載の行動ターゲティング広告が可能な調理装置を備える調理システム。
【請求項６】
前記加熱手段は、
誘導加熱器を用いることを特徴とする請求項２に記載の行動ターゲティング広告が可能な調理装置を備える調理システム。
【請求項７】
前記温水供給手段は、
前記胴体部の内部に収容されて取り付けられる温水タンクと、
前記温水タンクの温水を前記調理容器に吐き出す吐き出し管と、
を備えることを特徴とする請求項３に記載の行動ターゲティング広告が可能な調理装置を備える調理システム。
【請求項８】
前記調理装置は、
前記調理対象物又は調理容器に印刷されたバーコードを走査して前記調理対象物の情報を取得するバーコード読取り器を備えることを特徴とする請求項２に記載の行動ターゲティング広告が可能な調理装置を備える調理システム。
【請求項９】
前記外部機器は、
複数のユーザー端末を有し、
前記サーバーは、
前記ユーザー端末の位置が受信可能であることを特徴とする請求項１乃至請求項８のうちのいずれか一項に記載の行動ターゲティング広告が可能な調理装置を備える調理システム。
【請求項１０】
前記調理装置及び前記サーバーのうちの少なくともいずれか一方は、
前記調理装置が位置する所定の領域内に第１のユーザー端末が進入するか否かを判断して、前記第１のユーザー端末が前記所定の領域内に進入すれば、前記所定の領域内に既に進入している第２のユーザー端末との相対距離を計算し、前記相対距離に応じた移動時間と調理対象物を調理する調理時間とを比較して、前記移動時間が前記調理時間よりも長ければ、前記第１のユーザー端末に購買情報を転送することを特徴とする請求項９に記載の行動ターゲティング広告が可能な調理装置を備える調理システム。
【請求項１１】
前記調理装置及び前記サーバーのうちの少なくともいずれか一方は、
前記移動時間が前記調理時間よりも短ければ、待ち状態にいて、前記移動時間が前記調理時間以上になれば、前記第１のユーザー端末に前記購買情報を転送することを特徴とする請求項１０に記載の行動ターゲティング広告が可能な調理装置を備える調理システム。
【請求項１２】
前記調理装置及び前記サーバーのうちの少なくともいずれか一方は、
前記第１のユーザー端末が前記調理装置に近付くまでの非使用モードと、
前記第１のユーザー端末が前記調理装置に近付くときの調理待ちモードと、
前記調理対象物を調理する間の調理モードと、
前記調理対象物の調理が終わったときの調理完了モードと、
に分けて動作を行うことを特徴とする請求項１０に記載の行動ターゲティング広告が可能な調理装置を備える調理システム。
【請求項１３】
前記調理モードは、
前記調理対象物を調理する間に前記ユーザーに行動ターゲティング広告を表示する広告モードに切り換えられることを特徴とする請求項１２に記載の行動ターゲティング広告が可能な調理装置を備える調理システム。
【請求項１４】
前記調理装置及び前記サーバーのうちの少なくともいずれか一方は、
前記第１のユーザー端末の位置情報に基づいて前記ユーザーの主活動位置を把握して、前記ユーザーが他地域の人であると判断されれば、前記表示部に周辺観光地紹介行動ターゲティング広告を表示することを特徴とする請求項１３に記載の行動ターゲティング広告が可能な調理装置を備える調理システム。
【請求項１５】
前記外部機器は、
ＰＯＳ端末を有し、
前記調理装置は、
前記ＰＯＳ端末と連動されて前記ＰＯＳ端末に入力されるユーザー情報が受信可能であることを特徴とする請求項１乃至請求項８のうちのいずれか一項に記載の行動ターゲティング広告が可能な調理装置を備える調理システム。
【請求項１６】
前記調理装置は、
前記ＰＯＳ端末から入力される前記ユーザー情報に基づいて前記表示部に行動ターゲティング広告を表示し、
前記行動ターゲティング広告は、
前記ユーザーの年齢帯及び時間に基づいて選別されることを特徴とする請求項１５に記載の行動ターゲティング広告が可能な調理装置を備える調理システム。
【請求項１７】
前記調理装置は、
前記ＰＯＳ端末から入力される前記ユーザー情報が外国人であれば、前記表示部に周辺観光地紹介行動ターゲティング広告を表示することを特徴とする請求項１５に記載の行動ターゲティング広告が可能な調理装置を備える調理システム。
【請求項１８】
前記調理装置は、
前記ＰＯＳ端末から入力される前記ユーザー情報が外国人であれば、前記表示部の言語を外国語に切り換えて前記調理対象物の調理情報を表示することを特徴とする請求項１５に記載の行動ターゲティング広告が可能な調理装置を備える調理システム。
【発明の詳細な説明】
【技術分野】
【０００１】
本発明は、行動ターゲティング広告が可能な調理装置を備える調理システムに係り、更に詳しくは、調理対象物の即席調理が可能な調理装置を使用するユーザーに調理方法を提供することのできる行動ターゲティング広告が可能な調理装置を備える調理システムに関する。
【０００２】
また、本発明は、調理装置を使用するユーザーの情報に基づく行動ターゲティング広告を提供することのできる行動ターゲティング広告が可能な調理装置を備える調理システムに関する。特に、調理装置は、外部機器からユーザー情報を受信して当該ユーザーの情報と関連する広告を表示するようにした行動ターゲティング広告が可能な調理装置を備える調理システムに関する。
【背景技術】
【０００３】
一般に、ラーメンは、麺を蒸気で蒸し、油で揚げて乾燥した即席食品である。即席食品として生産されたラーメンの調理は、ガスや電気などを熱源として鍋などの容器に水を収容した状態で加熱した後、調理温度のレベルまで水の温度が上昇すれば、麺及びスープを添加して沸騰する方式により行われる。
【０００４】
このようなラーメンは、最近、必須的な即席食品と呼ばれるほど大衆的に愛用されている。このように大衆の必須の食品として位置づけられたラーメンは、大型食堂や休憩所又はネットカフェなどにおいて飛ぶように売れており、これに伴い、大韓民国公開特許第１０−２００９−００５２７０７号公報（ラーメン調理器）、大韓民国登録特許第１０−１２２３３１０号公報（即席ラーメン調理器）、大韓民国登録特許第１０−５２９０４７号公報（誘導加熱ラーメン調理器）などのラーメン調理器が大型食堂や休憩所又はネットカフェなどにおいてラーメンを手軽に調理できるように多用されている。
【０００５】
前記従来のラーメン調理器などの調理装置は、予め加熱された水をラーメン容器に投入して僅かな加熱だけでラーメンを調理できるようにして、ラーメンの調理時間を短縮することができるというメリットを有する。
ところが、従来の調理装置は、ラーメンの調理中に発生する蒸気が上昇しながら調理装置の上部に位置するディスプレイや操作パネルに結ばれて使い勝手が悪いだけではなく、油分や塩分が含有されて汚れた蒸気が調理装置にくっついて調理装置を汚すだけではなく、ラーメン調理器の電子部品が腐食するという不都合がある。
【０００６】
この理由から、大韓民国公開特許第１０−２００９−００５２７０７号公報（ラーメン調理器）や大韓民国登録特許第１０−１６３８０３６号公報（制御部保護ユニット及びＥＲＰシステムを備えたラーメン調理器）の場合、蒸気を吸い込んで排出する方式を取り入れているが、通常、調理装置が簡易に配設されて移動が頻繁であるため、上述したように蒸気を吸い込んで排出する方式は、ダクトなどの構成を移動・架設しなければならないという煩雑さがあるだけではなく、高いコストがかかるという欠点がある。
【先行技術文献】
【特許文献】
【０００７】
【特許文献１】大韓民国公開特許第１０−２００９−００５２７０７号公報
【特許文献２】大韓民国登録特許第１０−１２２３３１０号公報
【特許文献３】大韓民国登録特許第１０−５２９０４７号公報
【特許文献４】大韓民国登録特許第１０−１６３８０３６号公報
【発明の概要】
【発明が解決しようとする課題】
【０００８】
上述した問題を解消するために、本発明は、調理容器が置かれるハウジングと、当該調理容器を加熱する加熱手段及び調理容器に温水を供給する温水供給手段を備えて調理対象物の即席調理が可能であり、表示部側の汚れを防ぐことのできる行動ターゲティング広告が可能な調理装置を備える調理システムを提供するところに目的がある。
【課題を解決するための手段】
【０００９】
本発明は、調理対象物の即席調理が可能であり、広告が表示される表示部を有する調理装置と、前記調理装置を使用するユーザーと関連する広告を格納して前記調理装置に提供するサーバーと、前記ユーザーの情報を前記調理装置及び前記サーバーのうちのいずれか一方に提供する外部機器と、を備える行動ターゲティング広告が可能な調理装置を備える調理システムである。
【００１０】
本発明では、前記調理装置は、内部に空間が形成され、外部の一方の側に前記調理対象物が入れられる調理容器が置かれるハウジングと、前記調理容器を加熱する少なくとも一つの加熱手段と、前記調理容器に温水を供給する温水供給手段と、前記加熱手段及び前記温水供給手段の動作を制御する制御手段と、近距離通信技術を用いて前記外部機器のユーザー情報を受信する端末認識部と、を備える。
【００１１】
本発明において、前記ハウジングは、前記加熱手段が内部に配設される支持部と、前記表示部が一方の側に位置し、前記温水供給手段が内部に配設される胴体部と、を備える。
【００１２】
本発明では、前記胴体部は、前面の上部が上方に進むにつれて後方に後退する傾斜面として形成され、前記表示部は、前記傾斜面に形成される。
【００１３】
本発明では、前記胴体部は、前記表示部よりも下部に位置する一方の側に送風口が形成され、前記胴体部の内部に配備されて前記送風口に空気を送風する送風手段を備える。
【００１４】
本発明では、前記加熱手段は、誘導加熱器を用いる。
【００１５】
本発明では、前記温水供給手段は、前記胴体部の内部に収容されて取り付けられる温水タンクと、前記温水タンクの温水を前記調理容器に吐き出す吐き出し管と、を備える。
【００１６】
本発明では、前記調理装置は、前記調理対象物又は調理容器に印刷されたバーコードを走査して前記調理対象物の情報を取得するバーコード読取り器を備える。
【００１７】
本発明では、前記外部機器は、複数のユーザー端末を有し、前記サーバーは、前記ユーザー端末の位置が受信可能である。
【００１８】
本発明では、前記調理装置及び前記サーバーのうちの少なくともいずれか一方は、前記調理装置が位置する所定の領域内に第１のユーザー端末が進入するか否かを判断して、前記第１のユーザー端末が前記所定の領域内に進入すれば、前記所定の領域内に既に進入している第２のユーザー端末との相対距離を計算し、前記相対距離に応じた移動時間と調理対象物を調理する調理時間とを比較して、前記移動時間が前記調理時間よりも長ければ、前記第１のユーザー端末に購買情報を転送する。
【００１９】
本発明では、前記調理装置及び前記サーバーのうちの少なくともいずれか一方は、前記移動時間が前記調理時間よりも短ければ、待ち状態にいて、前記移動時間が前記調理時間以上になれば、前記第１のユーザー端末に前記購買情報を転送する。
【００２０】
本発明では、前記調理装置及び前記サーバーのうちの少なくともいずれか一方は、前記第１のユーザー端末が前記調理装置に近付くまでの非使用モードと、前記第１のユーザー端末が前記調理装置に近付くときの調理待ちモードと、前記調理対象物を調理する間の調理モードと、前記調理対象物の調理が終わったときの調理完了モードと、に分けて動作を行う。
【００２１】
本発明では、前記調理モードは、前記調理対象物を調理する間に前記ユーザーに行動ターゲティング広告を表示する広告モードに切り換えられる。
【００２２】
本発明では、前記調理装置及び前記サーバーのうちの少なくともいずれか一方は、前記第１のユーザー端末の位置情報に基づいて前記ユーザーの主活動位置を把握して、前記ユーザーが他地域の人であると判断されれば、前記表示部に周辺観光地紹介行動ターゲティング広告を表示する。
【００２３】
本発明では、前記外部機器は、ＰＯＳ端末を有し、前記調理装置は、前記ＰＯＳ端末と連動されて前記ＰＯＳ端末に入力されるユーザー情報が受信可能である。
【００２４】
本発明では、前記調理装置は、前記ＰＯＳ端末から入力される前記ユーザー情報に基づいて前記表示部に行動ターゲティング広告を表示し、前記行動ターゲティング広告は、前記ユーザーの年齢帯及び時間に基づいて選別される。
【００２５】
本発明では、前記調理装置は、前記ＰＯＳ端末から入力される前記ユーザー情報が外国人であれば、前記表示部に周辺観光地紹介行動ターゲティング広告を表示する。
【００２６】
本発明では、前記調理装置は、前記ＰＯＳ端末から入力される前記ユーザー情報が外国人であれば、前記表示部の言語を外国語に切り換えて前記調理対象物の調理情報を表示する。
【発明の効果】
【００２７】
上述したような解決手段により、且つ、上述したような構成により本発明に係る調理装置は、２つの加熱手段のそれぞれに対応する温水供給手段が別設されて同時に又はそれぞれ別々に調理対象物を調理する過程において温水の供給が円滑に行われるというメリットがある。
【００２８】
また、本発明は、加熱手段として誘導加熱器を用いることにより、エネルギー効率を向上させることができ、しかも、調理時間を短縮することができるというメリットがある。
【００２９】
更に、送風手段が配備されてラーメンの調理中に発生する蒸気を前方に吹き出すことにより、蒸気が操作パネルや表示部に結ばれたり操作パネルや表示部を汚したりすることを未然に防ぐことができるというメリットがある。
【００３０】
更にまた、本発明は、複数のユーザーが調理装置を使用するために近付くことが確認されれば、各ユーザーの相対距離を分析して各ユーザーに調理装置の使用可否を報知することにより、ユーザーの待ち時間を短縮することができるというメリットがある。
【００３１】
加えて、本発明は、外部機器を用いて調理対象物の調理具合を調節することができて、個人の好みに応じて調理対象物を調理することができるというメリットがある。
【００３２】
特に、本発明は、即席調理を待つ間にユーザーに広告を提供するが、当該ユーザーと関連する行動ターゲティング広告を提供することにより、ユーザーの製品購買の誘導率を高めることができる。
【００３３】
本発明は、調理装置とユーザーの情報が転送可能な外部機器とを互いに連動させてユーザー情報を収集することにより、ユーザーとの関連性が更に高い広告を優先的に選別することができるというメリットがある。
したがって、便宜雑貨店の分野、特に、食品調理機器の分野はもとより、これと類似する分野又はこれと関連する分野における信頼性及び競争力を高めることができる。
【図面の簡単な説明】
【００３４】
【図１】下部のみが透視図法にて表現された本発明の一実施形態による行動ターゲティング広告が可能な調理装置の正面図である。
【図２】全体が透視図法にて表現された調理装置（図１）の側面図である。
【図３】全体が透視図法にて表現された調理装置（図１）の背面図である。
【図４】本発明の行動ターゲティング広告が可能な調理装置を備える調理システムの概念図である。
【図５】本発明の一実施形態による調理装置が端末を認識することを示す図である。
【図６】広告を含む、本発明の行動ターゲティング広告が可能な調理装置を備える調理システムの概念図である。
【図７】本発明の一実施形態による調理の流れを示す図である。
【図８】バーコードを認識して調理が行われることを示す図である。
【図９】添加物を追加して調理が行われることを示す図である。
【図１０】広告を受信しながら調理が行われることを示す図である。
【図１１】本発明の他の実施形態による行動ターゲティング広告が可能な調理装置を示す斜視図である。
【図１２】本発明の他の実施形態による行動ターゲティング広告が可能な調理装置の構成を概念的に示す側面図である。
【図１３】本発明の他の実施形態による行動ターゲティング広告が可能な調理装置の構成を概念的に示す平面図である。
【図１４】本発明の他の実施形態による行動ターゲティング広告が可能な調理装置を備える調理システムを説明するための概略図である。
【図１５】本発明の他の実施形態による行動ターゲティング広告が可能な調理装置を備える調理システムの動作を説明するためのフローチャートである。
【図１６】本発明の他の実施形態による行動ターゲティング広告が可能な調理装置を備える調理システムにおける調理装置の動作モードを説明する図である。
【図１７】本発明のＰＯＳ連動型行動ターゲティング広告の手順を示すフローチャートである。
【図１８】本発明の観光地紹介行動ターゲティング広告の手順を示すフローチャートである。
【発明を実施するための形態】
【００３５】
本発明に係る行動ターゲティング広告が可能な調理装置に対する例は種々に適用可能であり、以下、添付図面に基づいて、最も好適な実施形態について説明する。
【００３６】
本発明の一実施形態による行動ターゲティング広告が可能な調理装置１０は、主として金属材質の調理容器３内に収容されて販売される調理対象物をそれ自体又は調理容器３に印刷されたバーコードの読み取りを通じてバーコードに収録された水の供給量、調理温度、調理時間などの調理情報に基づいて即座で自動的に調理する装置である。
【００３７】
本発明の一実施形態による行動ターゲティング広告が可能な調理装置１０は、図１から図３に示すように、下部の一方の側には上面に載置された調理容器３を加熱する電気レンジ１１が配設され、下部の他方の側には浄水容器５が載置される浄水台１２が配備され、電気レンジ１１の上部には調理用ノズル１３が配備され、浄水台１２の上部には浄水用ノズル１４が配備され、中央の一方の側には作動ボタン１５が  配備される本体（符号なし）と、本体の中央の他方の側に配備され、調理対象物又は調理容器３に印刷されたバーコードを走査してバーコードに収録された調理情報を読み取るバーコード読取り器２０と、本体内に配備され、本体内に流入した水を浄水した後に冷却又は加熱して調理用ノズル又は浄水用ノズルに供給する浄水器３０と、本体内に配備され、本体の作動ボタン１５の操作信号及びバーコード読取り器２０により読み取られる調理情報に基づいて電気レンジ１１及び浄水器３０を作動させるコントローラー４０と、を備える。
【００３８】
本体は、本発明の一実施形態による行動ターゲティング広告が可能な調理装置１０のフレームを形成する構成部材である。
【００３９】
本体の下部の一方の側には電気レンジ１１が配設されるが、この電気レンジ１１は、上面に載置された調理容器３を加熱して即席調理が行われるようにするものであって、電気ヒーターを有する通常の電気レンジであってもよいが、電気ヒーターによる危険性が取り除かれるように公知の構成を有するインダクションレンジ（電磁調理器）により形成されることが好ましい。この場合、調理容器３は、インダクションレンジにより調理可能な材質により製造されることが好ましい。なお、電気レンジ１１は、一つ以上配備されることが好ましい。多数の電気レンジ１１が配備される場合、１回につき多数の調理対象物が調理可能であるため、ユーザーの使い勝手がよくなる。
【００４０】
このようなインダクションレンジは、図１及び図２に示すように、高周波電流を発生させるインダクション回路部１１ａと、このインダクション回路部１１ａに電気的に接続されて高周波磁場を形成するインダクションコイル部１１ｂと、このインダクションコイル部１１ｂの上面に配設され、調理容器３に対する載置支持面を形成する強化ガラス板１１ｃと、を備える。インダクションレンジの作動原理や構成は既に公知であるため、ここでは明細書の簡略化のために詳細な説明は省略する。
【００４１】
本体の下部の他方の側には浄水台１２が配備されるが、この浄水台１２は、後述する浄水用ノズル１４から排出される浄水処理された水が収容される浄水容器５が載置される部分である。浄水台１２の下部には、通常の浄水器と同様に、浄水容器５を超えて下部に流下する水が収容される汚水容器が取り外し自在に配備される。
【００４２】
電気レンジ１１の上部には調理用ノズル１３が配備されるが、この調理用ノズル１３は、後述する浄水器３０の温水タンク３６内の水を最終的に調理のために後述するコントローラー４０により設定された量に見合う分だけ電気レンジ１１上の調理容器に排出するノズルであって、前方に向かって水平に延びるものであると示されているが、下方に向かって垂直に延びるように構成されてもよい。
【００４３】
浄水台１２の上部には浄水用ノズル１４が配備されるが、この浄水用ノズル１４は、浄水台１２の上に載置された浄水容器５内に後述する作動ボタン１５の種類及び接触又は加圧時間に対応するように浄水された冷水又は温水が吐き出されるようにするノズルであって、同図に示すように、下方に向かって垂直に延びることが好ましい。
【００４４】
本体の中央の一方の側には作動ボタン１５が配備されるが、この作動ボタン１５は、調理容器３内に収容された調理対象物の調理の開始を選択するための調理開始ボタン１５ａと、浄水用ノズル１４に接触又は加圧時間の間に後述する浄水器３０により浄水処理された冷水が吐き出されるようにするための冷水吐き出しボタン１５ｂと、浄水用ノズル１４に接触又は加圧時間の間に後述する浄水器３０により浄水処理された温水が吐き出されるようにするための温水吐き出しボタン１５ｃと、を備える。
【００４５】
また、本体の上部には表示部１７が配備されるが、この表示部１７は、後述するバーコード読取り器２０により読み取られた調理情報又は広告コンテンツを表示するものであって、通常の液晶表示（ＬＣＤ）パネルにより形成されることが好ましい。
【００４６】
本体の後方には、本体内への外部電源の供給を断続する電源スイッチ１８が別設される。上述した本体の中央の他方の側にはバーコード読取り器２０が配備されるが、このバーコード読取り器２０は製品化された調理対象物に印刷されたバーコードを走査してバーコードに収録された調理情報を読み取って当該信号を後述するコントローラー４０に与えることにより、当該調理対象物がバーコードに収録された調理条件に応じて自動的に調理されるように誘導する役割を果たす。
【００４７】
製品化された調理対象物に印刷されたバーコードは、通常の１次元バーコードだけではなく、２次元バーコードをも含むことが自明であり、本発明における「バーコード」という用語は、通常のバーコードだけではなく、ＲＦＩＤチップやこれと類似するタイプまで網羅する意味として用いられる。製品化された調理対象物に印刷されたバーコードは、水の投入量と水の投入時間、電気レンジ１１の調理温度及び調理時間に関する情報を含んでいるが、これらに加えて、調理に必要な他の情報を含んでいてもよい。
【００４８】
バーコード読取り器２０は、製品化された調理対象物に印刷されたバーコードを走査して当該バーコードに収録された調理情報を読み取るものであれば、いかなるタイプのものであっても構わない。
【００４９】
上述した本体内には浄水器３０が配備されるが、この浄水器３０は、本体内に流入した水を浄水した後に冷却又は加熱して本体の調理用ノズル１３又は浄水用ノズル１４に供給するものであって、図２及び図３に詳細に示すように、外部の水供給源（図示せず）から水（源水）が流入する入水管３１と、この入水管３１に接続されて水を浄水する浄水フィルター３２と、この浄水フィルター３２に接続され、浄水フィルター３２により浄水された水が排出される浄水供給管３３と、この浄水供給管３３に接続され、浄水フィルター３２により浄水された水を貯溜する浄水貯溜タンク３４と、浄水供給管３３に分岐接続され、浄水フィルター３２により浄水された水を冷却して浄水用ノズル１４に提供する冷水タンク３５と、浄水貯溜タンク３４に接続され、浄水フィルター３２により浄水された水を加熱して調理用ノズル１３及び浄水用ノズル１４のうちの少なくとも一方に提供する温水タンク３６と、この温水タンク３６に接続され、洗浄などを行う必要があるときに温水タンク３６内の温水を外部に排出して温水タンク３６を空にする排水管３７と、を備える。
【００５０】
浄水フィルター３２は１つのみ配備されてもよいが、水が多段に亘って浄水処理できるように多数が直列接続されることが好ましい。また、浄水フィルター３２としては、通常のろ過膜フィルター、中空糸膜フィルター、限外ろ過膜フィルター、逆浸透膜フィルター、活性炭フィルター、セラミックフィルター、紫外線殺菌フィルター、光触媒フィルター、イオン交換樹脂フィルターなどあらゆる種類の浄水フィルターが適用可能である。
【００５１】
冷水タンク３５は、冷媒コイル管により取り囲まれる通常の浄水器の冷水槽に相当し、温水タンク３６は、内部に加熱ヒーター管が嵌入する通常の浄水器の温水槽により形成されてもよい。温水タンク３６は、約８２℃の温度に保たれることが好ましいが、当該温度は別途に設定又は調整可能である。
【００５２】
また、冷水タンク３５は、冷水管路３５ａにより浄水用ノズル１４と接続されるが、この冷水管路３５ａの上には、後述するコントローラー４０により制御される第１の弁３５ｂが配設される。
【００５３】
更に、温水タンク３６は、温水管路３６ａにより浄水用ノズル１４と接続され、調理用水管路３６ｃにより調理用ノズル１３に接続されるが、温水管路３６ａの上には後述するコントローラー４０により制御される第２の弁３６ｂが配設され、調理用水管路３６ｃの上には後述するコントローラー４０により制御される第３の弁３６ｄが配設される。
【００５４】
上述した本体内にはコントローラー４０が配備されるが、このコントローラー４０は、本体の作動ボタン１５、すなわち、調理開始ボタン１５ａ、冷水吐き出しボタン１５ｂ及び温水吐き出しボタン１５ｃの操作信号及びバーコード読取り器２０により読み取られた調理情報に基づいて電気レンジ２０及び浄水器３０の作動のための制御信号を出力するものであって、本発明に係る行動ターゲティング広告が可能な調理装置１０の全体の動作のための制御アルゴリズムに基づいて設計されたプリント回路基板のタイプに構成される。また、コントローラー４０には、バーコード読取り器２０により走査される調理対象物又は調理容器をカウントするためのカウンターが更に付設されてもよい。カウンターによる信号は表示部１７に転送されて表示部１７にカウントされた数字が表示されるようにしてもよい。
【００５５】
更にまた、コントローラー４０には有無線通信網が接続されてもよい。有無線通信網が接続されれば、コントローラー４０は、リアルタイムストリーミング方式又はハードディスクにコンテンツを格納した後に広告コンテンツを表示部１７を介して駆動したりイベントなどを表示したりするなどコンテンツの管理機能を行ってもよい。
【００５６】
加えて、上述した本体の電気レンジ１１の上面、すなわち、強化ガラス板１１ｃの上面には滑り止めパッド５０が取り付けられることが好ましい。通常、調理容器３がアルミニウム薄板により製造され、電気レンジ１１がインダクションレンジにより構成される場合、インダクション加熱に際して調理容器３にかなりの振動が発生して調理容器３が強化ガラス板１１ｃの上面から滑り落ちる虞があるが、滑り止めパッド５０は、このような調理容器３の滑りを防ぐものであって、耐熱性シリコン、耐熱性ウレタン、耐熱ゴム材により製造されることが好ましい。
【００５７】
また、上述した本体の電気レンジ１１及び浄水台１２の上部の後方面には、容器有無感知センサー６０ａ、６０ｂが配備されることが好ましい。
【００５８】
容器有無感知センサー６０ａは、電気レンジ１１に対する調理容器３の載置有無を感知してコントローラー４０に制御信号を与えることにより、コントローラー４０をして調理容器３が電気レンジ１１の上に載置された場合に限って調理用ノズル１３を介して水が吐き出されるように制御せしめるものであって、通常のセンサーにより形成される。
【００５９】
更に、容器有無感知センサー６０ｂは、浄水台１２に対する浄水容器５の載置有無を感知してコントローラー４０に制御信号を与えることにより、コントローラー４０をして浄水容器５が浄水台１２の上に載置された場合に限って浄水用ノズル１４を介して水が吐き出されるように制御せしめるものであって、容器有無感知センサー６０ａと同様に、近接センサーにより形成される。
【００６０】
したがって、上述したような本発明に係る行動ターゲティング広告が可能な調理装置１０を使用するに当たって、製品化された調理対象物又は調理容器に印刷されたバーコードのみをバーコード読取り器２０に近づけた後、調理対象物を調理容器３に入れて電気レンジ１１の上に載せた後に作動ボタン１５さえ押せば、バーコードに収録された調理情報、すなわち、水の投入量及び水の投入時間、電気レンジ１１の調理温度及び調理時間などがコントローラー４０に自動的に設定されて、当該調理情報に合わせて調理用ノズル１３を介して調理容器３内に最適量の温水が投入され、電気レンジ１１により最適な調理温度に最適な調理時間の間に調理容器３が加熱されることにより、調理対象物が即座で速やかに且つ手軽に調理可能になる。
【００６１】
更にまた、上述したような本発明に係る行動ターゲティング広告が可能な調理装置１０の場合には、本体内に流入した水を浄水した後に冷却又は加熱して調理用ノズル１３又は浄水用ノズル１４に供給する浄水器３０が本体の内部に一体に配備されることにより、浄水器３０により浄水された水が調理用水に提供可能になって衛生的に安全であるだけではなく、調理をしない場合には、作動ボタン１５のうち調理開始ボタン１５ａを除く冷水吐き出しボタン１５ｂ及び温水吐き出しボタン１５ｃ及び浄水容器５を載置する浄水台１２を用いて通常の浄水器として使用可能である。
【００６２】
加えて、上述したような本発明に係る行動ターゲティング広告が可能な調理装置１０の場合には、本体の電気レンジ１１がインダクションレンジにより構成される場合、その上面に耐熱性シリコン、耐熱性ウレタン、耐熱ゴム材により製造される滑り止めパッド５０が取り付けられることにより、アルミニウム薄板により製造される調理容器３のインダクション加熱に際して発生する調理容器３の振動にも拘わらず、調理容器３が電気レンジ１１上において滑らなくなる。
【００６３】
上述したような本発明に係る行動ターゲティング広告が可能な調理装置１０の場合には、本体の電気レンジ１１及び浄水台１２の上部の後方面には容器有無感知センサー６０ａ、６０ｂが配備されて、調理容器３又は浄水容器５が載置された場合に限って水が吐き出されるように制御されることにより、水の消費量が最小化可能になる。
【００６４】
図４は、本発明の概念図である。図７は、これによる調理の流れを示すものである。同図を参照すると、本発明の一実施形態による行動ターゲティング広告が可能な調理装置を備える調理システムは、ユーザー情報をサーバーに転送し、ユーザーの好みに合わせて調理対象物を調理するための調理レシピ情報を入力されて前記サーバーに転送する端末、端末からユーザー情報及びユーザーの調理レシピ情報を受信し、調理装置からユーザー情報が転送された場合、ユーザーの調理レシピ情報を調理装置に転送するサーバー及び近距離通信技術を用いて端末を認識し、端末のユーザー情報を受信して、ユーザー情報をサーバーに転送し、サーバーからユーザーの調理レシピ情報を受信して、調理レシピ情報に基づいて調理対象物に浄水された水を供給し、調理対象物に加える熱の強さ及び加熱時間を調節する調理装置を備える調理システムである。
【００６５】
調理装置が配設された位置とは、調理装置に接続される水道施設、電気施設が配備された場所のことをいう。例えば、一般小売店、コンビニ、休憩所、ショッピングセンターなどが挙げられる。
【００６６】
携帯用端末などの外部機器及び他の外部機器を用いてサーバーにユーザーデータベースを構築してもよい。携帯用端末とは、個人が持ち運びできるあらゆるタイプの端末のことをいい、例えば、スマートフォンが挙げられる。スマートフォンのアプリケーションを用いて、ユーザーの年齢、性別、職業、居所、事務所、関心事などの個人情報をサーバーに格納することができ、調理対象物を個人の好みに応じて水の量、調理時間、香辛料の添加有無、避けるべき成分などに関する調理の好み情報をサーバーに格納してユーザーデータベースを構築する。
【００６７】
また、サーバーとは、サーバーの機能が行えるあらゆる機能的な単位のことをいい、特に、クラウドシステムを用いることもできる。
【００６８】
本発明の調理装置は、近距離通信技術を用いて端末を認識し、端末のユーザー情報を受信する端末認識部、ユーザー情報をサーバーに転送し、サーバーからユーザーの調理レシピ情報を受信する通信部、水を浄水して調理対象物に供給する水供給部、調理対象物を加熱調理する加熱部及び調理レシピ情報に基づいて調理対象物を調理するために水供給部の水の供給量、加熱部の出力及び前記加熱部の加熱時間を調節する制御部を備える。
【００６９】
加えて、位置基盤サービスによりユーザーの現在の位置情報がサーバーに受信され、ユーザーの現在の位置から近い距離にある調理装置の位置情報をユーザーに転送するステップ及び購買と関連する付加情報をユーザーに転送するステップを更に含んでいてもよい。
【００７０】
各ステップについて具体的に説明すれば、位置基盤サービスによりユーザーの現在の位置がサーバーに受信されるステップは、ユーザーの端末とサーバーとの間において行われ、端末の位置がサーバーに転送可能なあらゆる手段を備える。スマートフォンを例にとって説明すれば、衛生航法装置（ＧＰＳ；Ｇｌｏｂａｌ  Ｐｏｓｉｔｉｏｎｉｎｇ  Ｓｙｓｔｅｍ）を用いてもよく、無線データ転送システム（ＷｉＦｉ）、３Ｇ又は４Ｇなどの移動通信網及び近距離位置認識技術（ビーコン、Ｂｅａｃｏｎ）を用いてもよい。また、上述した手段は単なる例示に過ぎず、これらに加えて、位置が転送可能な技術であれば、いかなるものも採用可能である。なお、位置転送手段を複数組み合わせて位置情報に関する正確度を高めることもできる。更に、調理装置それ自体に通信手段が配備される場合、ユーザーの携帯用端末及び調理装置が自ら位置情報をやり取りすることもできる。
【００７１】
ユーザーの現在の位置がサーバーに受信されれば、サーバーは、調理装置の位置情報と比較して、ユーザーの近くに位置する調理装置を選別することができる。餞別された調理装置の位置をユーザーに転送してもよく、具体的に、スマートフォンの場合、アプリケーションを用いてユーザーに知らせてもよい。
【００７２】
ユーザーの位置及びユーザーの近くの調理装置が決定されれば、ユーザーに購買を誘導可能な様々な情報を転送することができる。購買情報は、サーバーを介して携帯用端末に転送されてもよく、調理装置それ自体に配備された通信手段を介して携帯用端末に転送されてもよい。また、購買情報とは、ユーザーを調理装置が配設された場所まで誘導可能なあらゆる種類の情報のことをいい、具体的に、例えば、割引情報、イベント情報、抱き合わせ販売などが挙げられる。
【００７３】
ユーザーの現在の位置に基づいて購買情報が転送されることは、ユーザーの位置を独立変数とするため、ユーザーの移動に伴いリアルタイムにて近くの調理装置が決定され、購買情報がユーザーに転送される。
【００７４】
図５は、本発明の調理装置が端末を認識することを示すものである。ユーザーは、調理装置に自分を認識させてユーザーデータベースを利用することができる。ユーザーが自分を認識させる方法においては、様々な通信手段を用いることができ、一実施形態によれば、ＮＦＣ（Ｎｅａｒ  Ｆｉｅｌｄ  Ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｃａｔｉｏｎ）及びＢＬＥ（Ｂｌｕｅｔｏｏｔｈ（登録商標）  Ｌｏｗ  Ｅｎｅｒｇｙ）のうちのいずれか一つを利用することができる。  調理装置には、端末認識部として、ユーザーを認識できるように通信モジュール又は非接触近距離無線通信モジュールが設けられる。例えば、ユーザーは、自分のスマートフォンのＮＦＣ機能を活性化させて調理装置の認識モジュールにスマートフォンを近づけて認識させることができる。
【００７５】
図６は、広告を含む本発明の概念図を示すものである。広告主から映像広告、音響広告、割引イベント広告及び製品イベント広告を受けてサーバーに格納するステップ、広告をユーザー情報と紐付けして、ユーザーと関連する広告を選別するステップ及び選別された広告を並べ替えて広告−データベースを構築するステップを含む。
【００７６】
サーバーには、ユーザーデータベースだけではなく、広告データベースを格納してもよい。ユーザーが調理装置を使用する間に調理装置の表示部を介して広告を出すことができるので、広告主から広告を誘致することができる。広告の対象には制限がなく、広告の種類は、映像広告、音響広告、映像及び音響が結合された広告、割引イベント広告及び製品イベント広報など様々な種類の広告を行うことができる。なお、タッチ可能な表示部を用いて、簡単なゲームを用いたイベント広告などを誘致することもできる。
【００７７】
このように様々な種類の広告がサーバーに格納されれば、予め構築されたユーザーデータベースと紐付けして広告を並べ替えることができる。個人毎に関心のある広告が異なる場合があるため、ユーザーとの関連性が高い広告を表示部に選別的に再生して広告効率を高めることができる。したがって、ユーザーの年齢、性別、職業、居所、事務所、関心事などの個人情報との関連性が高い広告を優先的に再生できるように各ユーザーに合わせて再生順序を設定することができる。なお、広告の再生順序や再生頻度を異ならせて各広告毎にコストを異ならせてビジネスモデルを構築することもできる。上述した広告の再生順序を編集して、各ユーザーに合わせた広告データベースをサーバーに構築することが可能になる。
【００７８】
本発明の一実施形態による行動ターゲティング広告が可能な調理装置を備える調理システムは、調理装置及びサーバーを統合的に制御して上述した広告の選別及び並べ替えなどを管理するメインコントローラー（図示せず）を備えていてもよい。
【００７９】
図８は、バーコードを認識して調理が行われることを示すものである。このために、調理装置は、調理対象物又は調理対象物の調理容器に印刷されたバーコードを読み取って前記バーコードに収録された調理レシピ情報を認識するバーコード認識部及びバーコードに収録された調理レシピ情報とサーバーから受信した調理レシピ情報とを比較して、互いに相容れない部分はサーバーから受信した調理レシピ情報に基づくように演算して調理レシピ情報を定める演算部を更に備え、制御部は、演算された調理レシピ情報に基づいて水供給部及び加熱部を調節する。
【００８０】
調理対象物には、製品のバーコードが埋め込まれている筈であるため、調理装置は、製品バーコードを通じて調理対象物に関する情報を得ることができる。バーコードを通じて得られる情報には、調理方法、調理例などが含まれる。調理装置がユーザーを認識すること及び製品バーコードを認識することには先後が重要ではなく、それぞれが認識されることだけで十分である。
【００８１】
調理装置がユーザーを認識すれば、サーバーを介して予め構築されたユーザーデータベースが調理装置に転送される。調理装置には、これを受信するための通信モジュールが設けられており、受信されたユーザーデータベースに格納された調理の好み情報及び製品バーコードを通じて認識された調理方法を組み合わせる。組み合わせの実施形態を挙げると、基本的に製品バーコードの調理方法に準拠するが、ユーザーの調理の好み情報と相反する部分があれば、ユーザーの調理の好み情報を優先視して調理方法を組み合わせる。具体的に、製品バーコードの実施形態においては、調理対象物に３００ｃｃの水を注ぎ、５分間加熱した後にスープを入れることを提示するが、ユーザーの調理の好み情報は、調理対象物に２５０ｃｃの水を注ぎ、４分３０秒間加熱してスープを入れることがユーザーデータベースに格納されていれば、調理装置は、調理対象物に２５０ｃｃの水を注ぎ、４分３０秒間加熱してスープを入れるように調理方法を組み合わせて調理を行うことになる。
【００８２】
一方、ユーザーが意図的にバーコードを用いてレシピ情報を入力する場合、レシピ情報がユーザー調理情報とは異なる部分があれば、調理装置は、表示部にこれを表示し、ユーザーにどのような情報を用いて調理するかを問うことができる。しかる後に、調理装置は、ユーザーの選択による調理情報を用いて調理を行うことができる。
【００８３】
図９は、添加物を追加して調理が行われることを示すものである。このために、調理装置は、ユーザーの好みに応じて調理対象物に添加物を供給する添加物供給部を更に備え、制御部は、調理レシピ情報に基づいて添加物を調理対象物に入れたり入れなかったりするように調節する。
【００８４】
図１０は、広告を受信しながら調理が行われることを示すものである。調理装置がユーザーを認識すれば、サーバーを介して予め構築された広告データベースが調理装置に転送される。調理装置にはこれを受信するための通信モジュールが設けられており、受信された広告データベースに格納された再生順序に従い表示部により再生される。したがって、ユーザーは、調理対象物が調理される間に、調理装置の表示部を介してユーザーとの関連性が高い広告又はイベントに接する。
【００８５】
以下では、本発明の他の実施形態による行動ターゲティング広告が可能な調理装置について説明する。
【００８６】
図ｌ１は、本発明の他の実施形態による行動ターゲティング広告が可能な調理装置を示す斜視図であり、図１２は、本発明の他の実施形態による行動ターゲティング広告が可能な調理装置の構成を概念的に示す平面図であり、図１３は、本発明の他の実施形態による行動ターゲティング広告が可能な調理装置の構成を概念的に示す側面図である。
【００８７】
本発明の一実施形態による行動ターゲティング広告が可能な調理装置１００は、ラーメンが入れられている調理容器Ｖが投入されれば、その調理容器Ｖに予め加熱された水を注いで加熱することにより、短い時間にラーメンを調理できるようにするための装置であって、同図を参照すると、本発明に係る行動ターゲティング広告が可能な調理装置１００は、ハウジング１１１、加熱手段１２０、温水供給手段１３０、送風手段１４０、操作パネル１５０、表示部１６０及び制御手段１７０を備えてなる。
【００８８】
ハウジング１１１は、加熱手段１２０、温水供給手段１３０、送風手段１４０及び制御手段１７０などが収容されて配設される空間を形成し、操作パネル１５０及び表示部１６０が取り付けられる部分を形成するための構成要素である。
【００８９】
同図を参照すると、ハウジングは、上方に向かって立てられた胴体部１１１ａと、その胴体部１１１ａの下部から前方に向かって平らな平面を有するように突出された支持部１１１ｂと、が配備されて全体的に「Ｌ」字状を呈する。胴体部１１１ａ及び支持部１１１ｂの内部には他の構成要素が収容されて配設されるための空間が形成される。
【００９０】
タワー状に立てられた胴体部１１１ａの内部空間には温水供給手段１３０、送風手段１４０及び制御手段１７０が収容されて配設され、その前面の上部には操作パネル１５０及び表示部１６０が取り付けられ、操作パネル１５０及び表示部１６０の下部に位置するように吐き出し部１１３が支持部１１１ｂの上部に位置するように前方に突設される。
【００９１】
操作パネル１５０及び表示部１６０が取り付けられる胴体部１１１ａの前面の上部は、上方に進むにつれて後方に後退する傾斜面として形成されて、ユーザーが行動ターゲティング広告が可能な調理装置１００の前面から操作パネル１５０及び表示部１６０を手軽に眺めながら手でタッチすることが可能になる。
【００９２】
また、上述したように、胴体部１ｌｌａの前面の上部が傾斜面として形成されることにより、たとえその下部において調理されるラーメンの蒸気が上昇するとしても、操作パネル１５０及び表示部１６０に直ちに衝突しなくなる。
【００９３】
表示部１６０の下部に位置する吐き出し部１１３には、温水供給手段１３０に配備された吐き出し管１３４の吐き出し口１３４ａ、１３４ａ’が下方に向かって配設されてそれらの吐き出し口１３４ａ、１３４ａ’から吐き出された温水が支持部１１１ｂの上部に置かれた調理容器Ｖの上部に落下する。
【００９４】
一方、本発明は、加熱手段１２０が一対配備されてそれぞれが支持部１１１ｂの幅方向に両側に配置され、これに対応してそれぞれに温水タンク１３１、１３１’が配備された一対の温水供給手段１３０、１３０’が配備されてもよい。このため、図面は、一対の吐き出し口１３４ａ、１３４ａ’が吐き出し部１１３の幅方向の両側に配置された実施形態を示している。
【００９５】
胴体部１ｌｌには、吐き出し部１１３の下の位置に送風口１１４が形成される。
送風口１１４を介して送風手段１４０により送風される空気がハウジング１１１の内部から外部に向かって噴射され、その噴射された空気は、調理容器Ｖから上昇する蒸気を胴体部１ｌｌの前方に吹き出す。
【００９６】
支持部１１１ｂは、内部に加熱手段１２０が収容配設される空間を形成し、加熱手段１２０の上部に調理容器Ｖが位置するように調理容器Ｖを支持するための平面を提供するための構成要素である。
【００９７】
支持部１１１ｂの上部は、加熱手段１２０を覆い被せながらその加熱手段１２０において発生される熱又は電磁誘導波などのエネルギーが透過又は伝達されるようにし、調理容器Ｖを支持可能なように強化ガラス１２３により覆い被せられる。
【００９８】
上述したように、本発明は、一対の加熱手段１２０が配備されたことを特徴とし、これにより、支持部１１１ｂの上部に配設された強化ガラス１２３には一対の火口１２３ａ、１２３ａ’が幅方向に配備される。
【００９９】
一方、支持部１１１ｂの両側には、前後方向に約中間の位置に指が入れる把持溝１１１ｂ’が形成されて行動ターゲティング広告が可能な調理装置１００の持ち運びに際してユーザーが手で掴めるように構成される。
【０１００】
加熱手段１２０は、支持部１１１ｂの上部に投入された調理容器Ｖの中身を加熱するための構成要素である。加熱手段１２０は、一対配備されて支持部１１１ｂの内部に幅方向に両側に配置された構造を有する。
【０１０１】
同図を参照すると、加熱手段１２０には誘導加熱方式の誘導加熱器１２１が用いられる。
【０１０２】
本発明は、上述したように、誘導加熱器１２１を用いることにより、加熱手段１２０が支持部１１１ｂの上部に露出されないように配設可能になり、これにより、安全性が確保される。
【０１０３】
一方、加熱手段１２０には電気発熱方式の電熱器１２２が配備されて誘導加熱器１２１を補うように構成されてもよい。
【０１０４】
誘導加熱器１２１により発生された電磁気は、強化ガラス１２３を通過して調理容器Ｖに誘導電流を発生させ、電熱器１２２により発生された熱は強化ガラス１２３の熱伝導により調理容器Ｖに伝達される。加熱手段１２０の作動は、制御手段１７０により制御される。
【０１０５】
温水供給手段１３０は、供給された水を加熱し、その加熱された水を貯溜していて、調理容器Ｖに吐き出すための構成要素であって、同図を参照すると、温水供給手段１３０は、温水タンク１３１、給水ポンプ１３２、給水開閉弁１３３、吐き出し管１３４、第１及び第２の吐き出し開閉弁１３５ａ、１３５ｂを備えてなる。
【０１０６】
温水タンク１３１は、内部に供給された水を加熱して貯溜するための容器である。温水タンク１３１の内部には、流入した水を加熱するための電気ヒーター（図示せず）が配備され、流入した水の水位を測定するための水位感知器（図示せず）及び加熱される水の温度を測定するための温度計（図示せず）が配備される。
【０１０７】
水位感知器は、温水タンク１３１に水が流入して溢れないように高水位を感知する高水位感知器と、温水タンク１３１から水が排出されて所定以下の水位となる場合、その低水位を感知する低水位感知器と、により構成されてもよい。
【０１０８】
温水タンク１３１は、下部に入水口１３１ａが配備されて、その入水口１３１ａは、水を温水タンク１３１にポンピングする給水ポンプ１３２からなり、下部に加熱された水を排出する出水口１３１ｃが配備されて、その出水口１３１ｃは、温水を調理容器Ｖに吐き出す吐き出し管１３４に接続される。
【０１０９】
温水タンク１３１の上部にはオーバーフロー１３ｌｂが配備されて水が温水タンク１３１から溢れ出る場合、その溢れる水を外部に排出する。一方、温水タンク１３１の内部において水が加熱される場合、圧力が増加するが、オーバーフロー１３１ｂは、その増加された圧力を解消する機能を行う。
【０１１０】
外部の水は給水入水管１３３ａに供給されるが、その給水入水管１３３ａに流入した水は給水開閉弁１３３ａを介して給水ポンプ１３２によりポンピングされて温水タンク１３１に供給される。
【０１１１】
吐き出し管１３４は、温水タンク１３１において加熱されて貯溜された温水を吐き出し部１１３に配備された吐き出し口１３４ａ、１３４ｂ’に排出するための通路を提供する。
【０１１２】
吐き出し管１３４には、温水の吐き出しを遮断したり許可したりするための第１及び第２の吐き出し開閉弁１３５ａ、１３５ｂが配備される。
【０１１３】
第１及び第２の吐き出し開閉弁１３５ａ、１３５ｂは、調理容器１Ｖに温水を供給しようとする場合に開かれて温水タンク１３１から吐き出し口１３４ａ、１３４ａ’に向かって温水が流れることになる。一方、吐き出し管１３４を開閉する吐き出し開閉弁は、一つのみ配備される。
【０１１４】
図面には、吐き出し開閉弁が第ｌ及び第２の吐き出し開閉弁１３５ａ、１３５ｂといったように一対で配備されて直列に接続された実施形態が示されており、これは、吐き出し開閉弁の故障により温水がほとばしることを防ぐためのものである。
【０１１５】
すなわち、本発明は、第１及び第２の吐き出し開閉弁１３５ａ、１３５ｂのうちどちらか一つが故障しても、残りの一つが正常に作動して温水タンク１３１から温水がほとばしるという問題の発生を予防するように構成されたことを特徴とする。
【０１１６】
送風手段１４０は胴体部１１１ａに配備されて、調理容器Ｖの上部から胴体部１１１ａの前方に向かって空気を送風して調理容器Ｖの上部に向かって上昇する蒸気が胴体部１１１ａをはじめとして他の構成要素に触れないようにするための構成要素である。
【０１１７】
上述したように、ラーメンなどの商品の調理に際して発生した蒸気には油分や塩分が含有されてその蒸気が持続的に触れる部分は油により汚れたり腐食されたりする。
【０１１８】
本発明は、上述したように、送風手段１４０によりラーメンの調理に際して発生する蒸気を前方に吹き出すことにより、その蒸気が行動ターゲティング広告が可能な調理装置１００の構成要素に触れることを極力抑える。
【０１１９】
同図を参照すると、送風手段１４０は、胴体部１１１ａの内部に配備された送風ファン１４１を備えてなり、送風ファン１４１が胴体部１１１ａの内部空気を送風口１１４を介して調理容器Ｖの上部に送風する。
【０１２０】
上述したように、本発明は、送風ファン１４１が胴体部１１１ａの内部に収容されてその内部空気を外部に送風することにより、上述した蒸気を前方に押し出す機能だけではなく、胴体部１１１ａの内部を冷却させる機能を行う。
【０１２１】
胴体部１１１ａの内部には温水タンク１３１が位置しているため、温水タンク１３１から放熱された熱により胴体部１１１ａの内部温度が上昇するが、その温度の上昇は、胴体部１１１ａの内部に収容配設された電気部品１、例えば、給水ポンプ１３２、弁類１３３、１３５ａ、１３５ｂ、制御手段１７０などの作動に悪影響を及ぼす。
【０１２２】
送風手段１４０は、胴体部１１１ａの内部において加熱された空気を外部に送風することにより、胴体部１１１ａの内部が冷却される。
【０１２３】
一方、送風手段１４０もまた、一対の加熱手段１２０に対応するように一対で配備されてそれぞれ別々に作動される。
【０１２４】
操作パネル１５０、１５０’は、加熱手段１２０及び温水供給手段１３０の作動を制御するための信号を入力する入力ボタン１５１、１５１’、その作動状態を表示するランプなどが配備された構成要素である。本発明は、一対の加熱手段１２０に対応するように一対が配備されて中央の表示部１７０の両側にそれぞれ配備される。
【０１２５】
表示部１６０は、予め格納されている映像、或いは、通信網（図示せず）を介して受信された映像や行動ターゲティング広告が可能な調理装置１００の作動状態に関する画像を出力する構成要素である。表示部１６０は、単に映像を出力するように構成されてもよく、映像の出力とともにタッチ入力が行えるように構成されてもよい。
【０１２６】
制御手段１７０は、加熱手段１２０や温水供給手段１３０のように行動ターゲティング広告が可能な調理装置１１の様々な構成要素の作動を制御するための構成要素である。
【０１２７】
制御手段１７０は、行動ターゲティング広告が可能な調理装置１１１の全般的な作動を制御する主制御部１７１と、加熱手段１７２の作動及び供給される電力を制御する加熱制御部１７２と、を備えてなる。
【０１２８】
符号１７３は、電力供給ケーブルを示すものである。
【０１２９】
制御手段１７０は、温水タンク１３１に配備された水位感知器（図示せず）により感知された水位に応じて温水タンク１３１に水が供給されたり遮断されたりするように給水ポンプ１３２及び給水開閉弁１３３の作動を制御する。
【０１３０】
また、制御手段１７０は、温水タンク１３１に配備された温度計（図示せず）により感知された温度に基づいて伝記ヒーター（図示せず）の作動を制御する。ユーザーが調理容器Ｖを支持部１１１ｂの上部に投入し、操作パネル１５０、１５０’を用いて調理メニュー、調理方法、調理時間、温水供給量などを選択して調理を要請すれば、制御手段１７０は、温水が吐き出し管１３４を介して調理容器Ｖに供給されるように第１及び第２の吐き出し開閉弁１３５ａ、１３５ｂの作動を制御し、温水の供給が行われた後にラーメンを調理するように加熱手段１２０の作動を制御する。
【０１３１】
本発明に係る行動ターゲティング広告が可能な調理装置１００は、図示はしないが、上述したようなバーコード読取り器又は端末認識部を備えてもよいということはいうまでもない。
【０１３２】
本発明の他の実施形態による行動ターゲティング広告が可能な調理装置を備える調理システムの位置基盤サービスは、次のように備えられる。
【０１３３】
図１４は、本発明の他の実施形態による行動ターゲティング広告が可能な調理装置を備える調理システムを説明するための概略図であり、図１５は、本発明の他の実施形態による行動ターゲティング広告が可能な調理装置を備える調理システムの動作を説明するためのフローチャートであり、図１６は、本発明の本発明の他の実施形態による行動ターゲティング広告が可能な調理装置を備える調理システムの調理装置の動作モードを説明する図である。
【０１３４】
図１４を参照すると、複数のユーザー端末（符号なし）が調理装置１００が位置する場所（例えば、コンビニ）の近くに近付いて複数のユーザー端末に購買情報が与えられた場合、一度に大勢のユーザーがコンビニを訪れると、先に訪れたユーザーが調理装置１００を利用する間に他のユーザーは待つことになり、待ち時間が長いほど購買情報を与えてユーザーに有益な情報を与えようとする意図とは異なり、むしろユーザーに良くない印象を与えてしまう。
【０１３５】
したがって、たとえ複数のユーザー端末が特定の調理装置１００が位置する場所に近付いたとしても、直ちに購買情報を与えるわけではなく、所定の時間差をおいて購買情報を与える必要がある。
【０１３６】
図１５を参照すると、調理装置１００は、所定の領域内にユーザー端末が進入するか否かを判断する（Ｓ１００）。
【０１３７】
所定の領域とは、例えば、調理装置１００が位置するところから所定の半径内の領域のことをいう。
【０１３８】
調理装置１００が位置する場所がコンビニである場合、各コンビニが担当する区域又は各コンビニに割り当てられた区域が所定の領域になり得る。
【０１３９】
ステップＳ１００における判断の結果、ユーザー端末３００が所定の領域内に進入すれば、調理装置１００は、既に所定の領域内に進入している他のユーザー端末との相対距離を計算する。
【０１４０】
以下、ユーザー端末Ａは新たに進入したものであり、他のユーザー端末Ｂは既に進入されているものであるとする。
【０１４１】
調理装置１００は、調理装置１００と他のユーザー端末Ｂとの間の第１の距離と、調理装置１００とユーザー端末Ａとの間の第２の距離との間の差分を相対距離にして計算する。
【０１４２】
人間の歩幅で相対距離を移動する時間と、調理装置１００において調理対象物が調理される時間とを比較して、相対距離に応じた移動時間が調理時間以上であるか否かを判断し（Ｓ１１０）、判断の結果、相対距離に応じた移動時間が調理時間以上であると判断されれば、調理装置１００が位置する位置情報及びイベント広告情報などの購買情報をユーザー端末Ａに転送する（Ｓ１３０）。
【０１４３】
ステップ（Ｓ１１０）において、相対距離による時間が調理時間よりも短ければ、すなわち、先に進入しているユーザーが調理装置１００に達して調理が終わる前に、後で進入したユーザーが調理装置１００に達すると判断すれば、他のユーザー端末Ｂとの相対距離が調理時間以上になるまで購買情報をユーザー端末Ａに転送せずに待つ（Ｓ１２０）。
【０１４４】
もちろん、先に進入している他のユーザー端末Ｂがない場合には、ユーザー端末Ａが所定の領域内に進入すれば直ちに購買情報を転送する。
【０１４５】
ここで、第１及び第２の距離及び相対距離は、直線的な長さを意味してもよく、ユーザーが道に沿って調理装置１００が位置するところを訪れることを考慮すれば、直線的な長さとは異なり、道に沿って進む経路の長さを意味してもよい。
【０１４６】
このために、調理装置１００は、調理装置１００が位置するところの周りの地図情報を有していてもよく、ユーザー端末の現在の位置を地図情報に対応付けてユーザー端末３００との距離又は経路に応じた長さを計算してもよい。
【０１４７】
以上、調理装置１００がステップ（Ｓ１００）からステップ（Ｓ１３０）を行うと説明したが、調理装置１００の代わりに、又は部分的に調理装置１００とともにサーバー２００がこれを行ってもよい。
【０１４８】
以下、図１６に基づいて、調理装置１００の動作モードについて詳細に説明する。
【０１４９】
まず、調理装置１００は、ユーザー端末が調理装置１００に近付くまで非使用モードとしての広告モードにある。このとき、調理装置１００は、表示部１６０に広告又は広報と関連するコンテンツを表示する。
【０１５０】
調理装置１００は、予め調理装置１００内に格納しておいた映像広告、音響広告、割引イベント広告及び製品イベント広告を表示部１６０に表示してもよく、リアルタイムにて広告主から自ら又はサーバー２００からこれらを転送されて表示してもよい。
【０１５１】
ユーザー端末が調理装置１００に近づければ、調理装置１００のユーザー端末認識部がユーザー端末３００を認識し、調理装置１００は調理待ちモードに入る。
【０１５２】
これとは異なり、ユーザーが調理装置１００に近付いて作動ボタン１５０を押すときに調理待ちモードに入ってもよい。調理装置１００は、調理待ちモードでユーザー端末と対応するユーザーの調理情報を表示したり、調理と関連する付加情報を表示部１６０に表示したりする。
【０１５３】
ユーザーが調理装置１００を用いて調理対象物を調理し始めれば、調理装置１００は調理モードに入る。調理装置１００は、調理モードで調理対象物を調理するとともに、ユーザー情報と紐付けされた情報を選別して表示部１６０に表示したり、ユーザーに簡単なゲームを行わせたりする。
【０１５４】
調理時間は約２〜５分であるため、この間にユーザー関係の広告に切り換えたり、ユーザーに軽く楽しめるゲームを行わせたりすることにより、ユーザーが退屈しないようにしてもよい。
【０１５５】
サーバー２００は、ユーザーデータベースだけではなく、広告データベースを備えていてもよい。サーバー２００のオペレーターは、調理装置１００を用いて非使用モード又は調理モードであるときに広告を出すことができるので、広告主から広告を誘致することができる。
【０１５６】
調理対象物の調理が終われば、調理装置１００は、調理完了モードに入る。調理が終わることに伴い、イベント情報を表示部１６０に表示し、イベントクーポンをユーザー端末３００に転送する。次いで、調理装置１００は、再び非使用モードである広報モードに入り、このような動作を繰り返し行う。
【０１５７】
図１７は、本発明のＰＯＳ連動型行動ターゲティング広告の手順を示すフローチャートであり、図１８は、本発明の観光地紹介行動ターゲティング広告の手順を示すフローチャートである。
【０１５８】
本発明に係る広告モードは、上述したように、携帯用端末などの外部機器を用いてユーザー情報を取得し、これによる行動ターゲティング広告が表示可能であるが、後述するように、携帯用端末なしにもユーザー情報に基づいて行動ターゲティング広告を表示することができる。
【０１５９】
一般に、コンビニは、製品を計算するとき、ユーザーの情報をマーケティング資料として活用するために、店員がユーザーの性別、年齢帯などの情報をＰＯＳ端末に入力するようにしている。
【０１６０】
ＰＯＳ端末は、携帯用端末などの外部機器に相当し、本発明のユーザーによる行動ターゲティング広告は、調理装置がコンビニに配設された場合、ＰＯＳ端末と連動されてＰＯＳ端末に入力されるユーザー情報に基づいて、ＰＯＳ連動型行動ターゲティング広告を表示することができる。
【０１６１】
調理装置及びＰＯＳ端末は、上述したサーバーを備えて互いに連動可能なように配設されてもよく、ＰＯＳ端末に入力されるユーザー情報はサーバーに格納可能である。
【０１６２】
図１７を参照すると、ＰＯＳ端末を用いた行動ターゲティング広告は、購買意思のあるユーザーの情報がＰＯＳ端末を介して調理装置に入力（Ｓ１１００）される。ユーザー情報とともに、購買した商品の情報も入力されることが好ましい。
【０１６３】
次いで、調理装置は、バーコード読取り器において認識される商品と、ＰＯＳ端末から入力された商品とが一致するか否かを比較（Ｓ１２００）して、ＰＯＳ端末を介して予め入力されたユーザー情報が調理しようとするユーザーの情報であるか否かを判断し、ユーザーの情報が一致すれば、ユーザーと関連する広告を表示するためにユーザー情報を分析（Ｓ１３００）する。
【０１６４】
ＰＯＳ端末に入力される年齢帯による調理装置の行動ターゲティング広告は、次のように選別されて表示される。
【０１６５】
入力された年齢帯が成人であり、時間が昼間又は午後である場合、加工食品、弁当、コーヒー、疲労回復剤などと関連する広告が優先的に表示可能である。
【０１６６】
また、時間が夕食である場合には、酒類、二日酔い解消の飲み物などと関連する広告が優先的に表示（Ｓ１４００）される。
【０１６７】
これに対し、入力された年齢帯が青少年であり、時間が昼間又は午後である場合、お菓子類、牛乳、飲み物、塾などの広告が優先的に表示され、時間が夕食である場合にも、昼間又は午後の広告が表示されるが、必要に応じて、公益広告（喫煙、自殺、飲酒、麻薬）が優先的に表示（Ｓ１４００）される。
【０１６８】
また、調理装置１００は、調理待ちモードであるとき、ＰＯＳ端末に入力されたユーザーが外国人である場合、ＰＯＳ端末に販売の終わった調理対象物の情報が入力されて当該調理対象物の調理情報を外国語に切り換えて出力することが好ましい。併せて、調理装置１００のバーコード読取り器により認識された調理対象物の調理情報を出力することも可能である。外国人に対する広告としては、調理装置１００が配設された位置と隣り合う観光地についての紹介が表示されてもよい。
【０１６９】
更に、本発明に係る広告モードの広告は、上述したように、ユーザーの端末を介してユーザー情報を取得して表示してもよく、特に、ユーザーの居所又は国籍情報に基づいて観光地紹介行動ターゲティング広告を表示することを特徴とする。
【０１７０】
例えば、図１８を参照すると、調理装置が配設された場所の位置とユーザーの主活動位置とが異なると判断される場合、表示部１６０は、コンビニが位置する地域の観光地を紹介する広告を表示してもよい。
【０１７１】
すなわち、ソウルに住んでいるユーザー又は外国人が釜山で調理装置を使用する場合、調理装置は、ユーザー情報に基づいてユーザーを他地域の人であると判断（Ｓ２１００）して釜山の観光地を紹介する広告を表示してもよく、ユーザーは、当該広告を用いて観光地情報を手軽に取得することができるという効果がある。
【０１７２】
観光地紹介広告は、ユーザーの選択（Ｓ２２００）に応じて表示されるようにしてもよい。ユーザーが観光地紹介広告を確認することを選択すれば、観光地紹介が表示部に再生され、ユーザーが観光地紹介広告を拒む場合、上述したようなユーザー情報と関連する広告が表示（Ｓ２３００）される。
【０１７３】
また、調理装置１００は、調理待ちモードであるとき、端末情報に基づいてユーザーが外国人であると判断される場合、バーコード読取り器により認識された調理対象物の調理情報を外国語に切り換えて出力することが好ましい。
【０１７４】
一方、ユーザーが外国人ではないと判断されるが、バーコード読取り器の認識なしに容器が認識される場合、ユーザーの選択に応じて普遍的な調理方法又はバーコード読取り器に調理対象物を認識することを勧めるメッセージが表示部１６０に出力されるようにしてもよい。
【０１７５】
以上、本発明に係る行動ターゲティング広告が可能な調理装置を備える調理システムについて説明した。このような本発明の技術的な構成は、本発明が属する技術分野における当業者が本発明のその技術的思想や必須的特徴を変更することなく異なる具体的な形態に実施可能であるということが理解できる筈である。よって、上述した実施形態はあらゆる面からみて例示的なものに過ぎず、限定的なものではないと理解されるべきである。
【符号の説明】
【０１７６】
３  調理容器
５  浄水容器
１０  調理装置
１１  電気レンジ
１２  浄水台
１３  調理用ノズル
１４  浄水用ノズル
１５  作動ボタン
１７  表示部
１８  電源スイッチ
３０  バーコード読取り器
３０  浄水器
３１  入水器
３２  浄水フィルター
３３  浄水供給管
３４  浄水貯留タンク
３５  冷水タンク
３６  温水タンク
３７  排水管
４０  コントローラー
【図１】
2018194812.tif 000003
【図２】
2018194812.tif 000004
【図３】
2018194812.tif 000005
【図４】
2018194812.tif 000006
【図５】
2018194812.tif 000007
【図６】
2018194812.tif 000008
【図７】
2018194812.tif 000009
【図８】
2018194812.tif 000010
【図９】
2018194812.tif 000011
【図１０】
2018194812.tif 000012
【図１１】
2018194812.tif 000013
【図１２】
2018194812.tif 000014
【図１３】
2018194812.tif 000015
【図１４】
2018194812.tif 000016
【図１５】
2018194812.tif 000017
【図１６】
2018194812.tif 000018
【図１７】
2018194812.tif 000019
【図１８】
2018194812.tif 000020